(57)【要約】【課題】柔道着使用中における前身頃のはだけ（着衣の乱れ）を回避できるようにした柔道着を提供すること。【解決手段】一対の帯２，３の夫々一端部２ａ，３ａを柔道着本体１の左右の前身頃４，５に夫々取り付けた柔道着である。一方の帯２は、その一端部２ａを、互いに打合わせとなる左右前身頃４，５のうちの内側前身頃５の前襟部１０に縫い付けて、外側前身頃４と後身頃６との境界付近に貫設したベルト穴１１に内から外へ通して後身頃６外面側から内側前身頃５頃へ向かう方向に延出し、他方の帯３は、その一端部３ａを外側前身頃４の前襟部９に縫い付けて、内側前身頃５と後身頃６との境界付近の外側に取り付けたベルト通し１２に通して後身頃６外面側から外側前身頃４へ向かう方向に延出し、両帯２，３の他端部２ｂ，３ｂどうしを外側前身頃４のところで結び合わせるようにする。【選択図】図１
0003129890.tif 000002
【実用新案登録請求の範囲】
【請求項１】
一対の帯の夫々一端部を柔道着本体の左右の前身頃に夫々取り付けた柔道着であって、一方の帯は、その一端部を、互いに打合わせとなる左右前身頃のうちの内側前身頃の前襟部に縫い付けて、外側前身頃と後身頃との境界付近に貫設したベルト穴に内から外へ通して後身頃外面側から内側前身頃へ向かう方向に延出する一方、他方の帯は、その一端部を外側前身頃の前襟部に縫い付けて、内側前身頃と後身頃との境界付近の外側に取り付けたベルト通しに通して後身頃外面側から外側前身頃へ向かう方向に延出し、しかして両帯の他端部どうしを外側前身頃のところで結び合わせるようにした柔道着。
【請求項２】
両方の帯の夫々一端部の縫い付け位置は略同じ高さ位置にあり、一方の帯を通すベルト通し穴の位置は一方の帯の一端部の縫い付け位置よりも下位にあり、他方の帯を通すベルト通しの取付位置は他方の帯の一端部の縫い付け位置よりも下位にあり、ベルト穴とベルト通しとは略同じ高さ位置にある請求項１に記載の柔道着。
【考案の詳細な説明】
【技術分野】
【０００１】
本考案は、柔道着の改良に関するもので、一対の帯の夫々一端部を柔道着本体の左右の前身頃に夫々取り付けた柔道着に関する。尚、この柔道着は、いわゆる胴衣で、ズボンは含まないものとする。
【背景技術】
【０００２】
現在使用されている柔道着Ｂは、着用にあたり、左右の前身頃４，５を互いに打合わせた状態で１本の帯２０を腰回りに２回巻いて、その両端部どうしを外側前身頃４のところで結び合わせることにより、図４の(a) に示すような恰好となる。しかして、このような恰好で柔道を行なう際に、各人が右利きの場合には、図５に示すように、一方の手で相手の外側前身頃４の前襟９を、他方の手で相手の袖８を夫々掴んで組み合うわけであるが、このように組んだ姿勢で、進退、体さばきなどをして相手に例えば背負い投げなどの技を繰り返しるかける時に、一方の手で掴んだ相手の外側前身頃４が再三上方へ引っ張られることになるから、その相手の外側前身頃４が帯２０から上方に引き出され、また内側前身頃５も帯２０から上方へずり上がり、それによって相手の外側前身頃４更に内側前身頃５は図４の(b) に示すようにはだけた弛緩状態となる。尚、左利きの場合は、内側前身頃５の方が激しく引っ張られてずり上がるようになる。図４及び図５において、６は後身頃、７は左袖、８は右袖、９は外側前身頃４の前襟、１０は内側前身頃５の前襟を示す。またＴはズボンを示す。
【０００３】
このように柔道着Ｂの外側前身頃４や内側前身頃５がずり上がって前身頃４，５がはだけた状態で更に相手の外側前身頃４又は内側前身頃５を掴んで技をかけようしても、前身頃４，５の引き付けが十分でないため技をかけることができない。勿論、試合中に着衣が相当に乱れている時は、審判が試合を中断してその着衣の乱れを直すようにしているが、大抵の場合、図４の(b) に示すように前身頃４，５がはだけて緩んだまま状態で試合を続行している。特に、時間が３〜４分と短い競技においては、時間終了間際に技をかけて一発逆転を狙うとしても、前身頃４，５が緩んだ状態ではそのような一発逆転ができないのが現状である。
【考案の開示】
【考案が解決しようとする課題】
【０００４】
本考案は、従来の柔道着によるような使用中における前身頃のはだけ、即ち着衣の乱れを防止できるようにした柔道着を提供することを目的とする。
【課題を解決するための手段】
【０００５】
上記課題を解決するための手段を、後述する実施形態の参照番号を付して説明すると、請求項１に係る考案は、一対の帯２，３の夫々一端部２ａ，３ａを柔道着本体１の左右の前身頃４，５に夫々取り付けた柔道着であって、一方の帯２は、その一端部２ａを、互いに打合わせとなる左右前身頃４，５のうちの内側前身頃５の前襟部１０に縫い付けて、外側前身頃４と後身頃６との境界付近に貫設したベルト穴１１に内から外へ通して後身頃６外面側から内側前身頃５頃へ向かう方向に延出する一方、他方の帯３は、その一端部３ａを外側前身頃４の前襟部９に縫い付けて、内側前身頃５と後身頃６との境界付近の外側に取り付けたベルト通し１２に通して後身頃６外面側から外側前身頃４へ向かう方向に延出し、しかして両帯２，３の他端部２ｂ，３ｂどうしを外側前身頃４のところで結び合わせるようにしたことを特徴とする。
【０００６】
請求項２は、請求項１に記載の柔道着において、両方の帯２，３の夫々一端部２ａ，３ａの縫い付け位置は略同じ高さ位置にあり、一方の帯２を通すベルト通し穴１１の位置は一方の帯２の一端部２ａの縫い付け位置よりも下位にあり、他方の帯３を通すベルト通し１２の取付位置は他方の帯３の一端部３ａの縫い付け位置よりも下位にあり、ベルト穴１１とベルト通し１２とは略同じ高さ位置にあることを特徴とする。
【考案の効果】
【０００７】
上記解決手段による考案の効果を、後述する実施形態の参照番号を付して説明すると、請求項１に係る考案の柔道着Ａによれば、この柔道着Ａの使用においては、一端部３ａを外側前身頃４の前襟部９に取り付けた帯３が内側前身頃５と後身頃６との境界付近の外側にあるベルト通し１２に通されると共に、一端部２ａを内側前身頃５の前襟１０に取り付けた帯２が外側前身頃４と後身頃６との境界付近に貫設したベルト穴１１に内から外へ通されて、両帯２，３の他端部２ｂ，３ｂどうしが外側前身頃４のところで結び合わせられるので、試合中に一方の手で相手の外側前身頃４の前襟９又は内側前身頃５の前襟１０を、他方の手で相手の袖８を夫々掴んで組み合った状態から、相手に例えば背負い投げ等の投げ技をかけることを試みて、相手の外側前身頃４又は内側前身頃５を引っ張り込むような動作を繰り返し行なっても、その相手方の外側前身頃４又は内側前身頃５が、上方へ引っ張られてずり上がることがなく、ほとんど当初の姿勢を維持できる。従って、各選手は自分の実力を十分発揮できるようになると共に、着衣の乱れが防止されることによって、試合時間を有効に使用できることになる。
【０００８】
請求項２に係る考案によれば、上記のような前身頃４，５のずり上がり防止効果及び着衣の乱れ防止効果を有効に発揮させることができる。
【考案を実施するための最良の形態】
【０００９】
以下に本考案の好適な一実施形態を図面にもとづいて説明すると、図１は本考案に係る柔道着の使用状態を分かり易く説明するための斜視図であり、図２は同柔道着を着用者が着用した状態の斜視図である。本考案に係る柔道着（胴衣）Ａは、柔道着本体１と、夫々の一端部が柔道着本体１の左右の前身頃に取り付けられた一対の帯２，３とからなる。柔道着本体（胴衣本体）１は、左右の前身頃４，５と後身頃６と左右の袖７，８とから構成される。図において、Ｔはズボンである。
【００１０】
図１と図２とを参照して分かるように、柔道着Ａの使用にあたって、両帯２，３のうちの一方の帯２は、その一端部２ａを、互いに打合わせとなる左右前身頃４，５のうちの内側前身頃５の前襟部１０に縫い付けて、外側前身頃４と後身頃６との境界付近に貫設したベルト穴１１に、その内から外へ通して、後身頃６外面側から内側前身頃５へ向かう方向に延出する一方、他方の帯３は、その一端部３ａを外側前身頃４の前襟部９に縫い付けて、内側前身頃５と後身頃６との境界付近の外側に取り付けたベルト通し１２に通して、後身頃６の外面側から外側前身頃４へ向かう方向に延出し、しかして両方の帯２，３の他端部２ｂ，３ｂどうしを外側前身頃４のところで結び合わせるようにしたものである。
【００１１】
この場合、一方の帯２の一端部２ａは内側前身頃５の内面側で前襟部１０に縫い付け、帯３の一端部３ａは外側前身頃４の内面側で前襟部９に縫い付ける。ベルト穴１１には、穴かがりを施して補強するのが好ましい。また、ベルト通し１２は、柔道着本体１と同じ生地で形成したものを取り付けるようにするとよい。
【００１２】
また図１から分かるように、両方の帯２，３の夫々一端部２ａ，３ａの縫い付け位置は略同じ高さ位置にあり、そして一方の帯２を通すベルト通し穴１１の位置は一方の帯２の一端部２ａの縫い付け位置よりも下位（低い位置）にあり、他方の帯３を通すベルト通し１２の取付位置は他方の帯３の一端部３ａの縫い付け位置より下位（低い位置）にあり、そしてベルト穴１１とベルト通し１２とは略同じ高さ位置にある。尚、両帯２，３の夫々一端部２ａ，３ａの縫い付け位置は、この柔道着Ａを着用する者の腰部の平均ラインに対応する位置とされる。
【００１３】
図１は、一対の帯２，３が柔道着本体１に対しどのように掛け回されるかを説明するための模式図であるが、図３は両帯２，３を着用者の腰部Ｗに対して締め付けた着用状態での柔道着の横断面模式図である。
【００１４】
上記のような構成よりなる柔道着Ａによれば、この柔道着Ａの使用においては、一端部３ａを外側前身頃４の前襟部９に取り付けた一方の帯３が、内側前身頃５と後身頃６との境界付近の外側にあるベルト通し１２に通されると共に、一端部２ａを内側前身頃５の前襟１０に取り付けた帯２が、外側前身頃４と後身頃６との境界付近に貫設したベルト穴１１に内から外へ通され、しかして両方の帯２，３の他端部２ｂ，３ｂどうしが外側前身頃４のところで結び合わせられるので、例えば図５に示すように、各人が右利きの場合は、試合中に各人の右手で相手の外側前身頃４の前襟９を、また左手で相手の袖８を夫々掴んで組み合った状態から、相手に例えば背負い投げ等の投げ技をかけることを試みて、相手の外側前身頃４を引っ張り込むような動作を繰り返し行なっても、相手方の外側前身頃４は、一端部３ａが外側前身頃４の前襟９に縫い付けられてベルト通し１２に通された帯２によって、上方へのずり上がりを阻止され、殆ど当初のままの状態である。
【００１５】
左利きの場合は、左手で相手の外側前身頃４の前襟９を、また右手で相手の袖７を夫々掴んだ状態で技をかけるようになり、しかして相手の内側前身頃５を引っ張り込むことになるが、この場合、内側前身頃５は、一端部２ａが内側前身頃５の前襟１０に縫い付けられてベルト穴１１に通された帯３によって、上方へのずり上がりを阻止され、殆ど当初のままの状態となっている。
【００１６】
上記のように試合中に相手の外側前身頃４又は内側前身頃５を引っ張り込むような動作を繰り返し行なっても、相手方の外側前身頃４又は内側前身頃５が、上方へ引っ張られてずり上がることがないから、両者ともに自分の実力を十分発揮できるようになると共に、着衣の乱れが防止されることによって、試合時間を有効に使用できることになる。
【００１７】
また、この柔道着Ａにあっては、両帯２，３の夫々一端部２ａ，３ａの縫い付け位置が略同じ高さ位置にあり、一方の帯２を通すベルト通し穴１１の位置が一方の帯２の一端部２ａの縫い付け位置よりも下位にあり、他方の帯３を通すベルト通し１２の取付位置が他方の帯３の一端部３ａの縫い付け位置よりも下位にあり、ベルト穴１１とベルト通し１２とが略同じ高さ位置にあることによって、上記のような外側前身頃４又は内側前身頃５のずり上がり阻止効果をより一層有効に発揮させることができる。
【００１８】
以上の実施形態では、互いに打合わせられる左右両前身頃４，５のうち、右側の前身頃５を外側前身頃とし、左側の前身頃４を内側前身頃としているが、左右の打合わせが逆になる場合は、左側の前身頃４を内側前身頃とし、右側の前身頃５を外側前身頃としてもよい。その場合も、一方の帯の一端部は、内側前身頃の前襟部に縫い付けて、外側前身頃と後身頃との境界付近に貫設したベルト穴に内から外へ通すようにし、また他方の帯の一端部は、外側前身頃の前襟部に縫い付けて、内側前身頃と後身頃との境界付近の外側に取り付けたベルト通しに通すようにする。
【図面の簡単な説明】
【００１９】
【図１】本考案に係る柔道着の使用状態を説明するための斜視図である。
【図２】同柔道着を着用者が着用した状態の斜視図である。
【図３】帯を着用者の腰部に締め付けた状態での柔道着の横断面模式図である。
【図４】(a) は現在使用されている柔道着の着用状態を示す説明図、(b) は同柔道着を使用して柔道を行なった時に前身頃がはだけた状態を示す説明図である。
【図５】柔道の組み方を説明する斜視図である。
【符号の説明】
【００２０】
Ａ            柔道着（本発明）
１            柔道着本体
２，３        帯
２ａ，３ａ    帯の一端部
２ｂ、３ｂ    帯の他端部
４            外側前身頃
５            内側前身頃
６            後身頃
９，１０      前襟部
１１          ベルト穴
１２          ベルト通し
Ｂ            柔道着（従来例）
【図１】
0003129890.tif 000003
【図２】
0003129890.tif 000004
【図３】
0003129890.tif 000005
【図４】
0003129890.tif 000006
【図５】
0003129890.tif 000007